(57)【特許請求の範囲】
【請求項１】
略半球形状の帽体を、帽体の下縁部分のベース本体と、ベース本体以外の帽体部分を分割した分割帽体で構成し、
分割帽体は、帽体の前方部分から頂部分までの中央帽体と、帽体の後方部分の後方帽体と、帽体の側方部分の左右の側方帽体と、からなり、各々ベース本体に回動可能に連結され、これらを組み立て位置へ回動するものであって、
分割帽体の組み立て状態を支持する支持部であって、後方帽体の中央帽体側縁の下方から中央帽体側に突出して中央帽体を支持する中央帽体支持部と、中央帽体と後方帽体の下方から左右の側方帽体側に突出して左右の側方帽体を支持する側方帽体支持部と、を有し、
帽体を組み立て状態に維持する固定手段であって、一端が中央帽体の後方の裏面側に固定され、他端が前記後方帽体の中央帽体支持部に形成される通し孔により表面側から裏面側に通され、更にベース本体の後方の開放部分から引き出されたものであって、当該他端を更に引き出すことによって組み立て状態とする固定テープと、引き出した固定テープを引き出した状態に固定する固定レバーと、を有することを特徴とする折り畳みヘルメット。
【請求項２】
少なくとも中央帽体の頂部分周辺を含む頂頭部分において、支持部により、各分割帽体間の繋ぎ目が下方から覆われることを特徴とする請求項１に記載の折り畳みヘルメット。
【請求項３】
側方帽体支持部は、中央帽体と後方帽体とから突出する支持部が接合してなるものであって、
各々の接合部分の端部は、一方が上下方向に切り欠かれ、もう一方が当該切り欠きに係合する突部を有することを特徴とする請求項１または２のいずれかに記載の折り畳みヘルメット。
【請求項４】
左右の側方帽体の突出片が側方帽体支持部に形成された溝部に係合することを特徴とする請求項１、２または３のいずれかに記載の折り畳みヘルメット。
【請求項５】
固定レバーは、押圧部と作動部とからなり、回動可能に取り付けられたカム機構とし、作動部を回動したときに固定レバーの押圧部が固定テープを被押圧部に押圧することにより、固定テープを固定することを特徴とする請求項１、２、３または４のいずれかに記載の折り畳みヘルメット。
【請求項６】
固定手段は、固定レバーの固定テープとの押圧状態を保持する係合部を有することを特徴とする請求項１、２、３、４または５のいずれかに記載の折り畳みヘルメット。
【発明の詳細な説明】
【技術分野】
【０００１】
本発明は、平常時には折り畳んでおき、例えば地震等の非常時あるいは作業を行う場合に、迅速に組み立てて使用することができる折り畳みヘルメットに関し、折り畳み状態から使用状態に迅速に移行し、使用状態を確実に維持することができる構造にかかる発明である。
【背景技術】
【０００２】
主として、非常時に使用することができる折り畳み式のヘルメットは従来から提案されている。
特許文献１には、略半球殻状の帽体を右側の半帽体と左側の半帽体で構成し、これらを中央の連結部で連結し、折り畳み状態のヘルメットを前後方向から手で押圧することで使用状態にし、連結爪の係合を外し側面から帽体を押圧することによって折り畳み状態とする構造が開示されている。
【０００３】
また、特許文献２には、複数の分割体により構成され、帽体入口の開放部を含む環状の分割体と、帽体頂部を含む椀状の分割体と、これらの間の環状の分割体からなり、各分割体を回動可能に連結する連結部と、分割体の相対位置を固定する係止部とを有する構造が開示されている。
【０００４】
特許文献１に記載の先行技術は、各殻の間をヒンジで繋ぎ合せたものであるため、どうしてもヒンジ部分の強度が弱くなることがあり、所定強度を有するためには各部材間が重なり合う必要があった。
【０００５】
また、特許文献２に記載の先行技術は、分割体を帽体前方で回動して連結し、帽体後部に係止部を有するため、使用状態で各分割体が左右方向に撓むことがあった。しかも、各係止部の一つに対して、非常時に突発的な飛来物等によって解除された場合、分割体が折り畳まれてしまい、ヘルメットとして機能しなくなることがあった。
【先行技術文献】
【特許文献】
【０００６】
【特許文献１】特開２０１５−６１９５６号公報
【特許文献２】特開２０１４−２３４５６２号公報
【発明の概要】
【発明が解決しようとする課題】
【０００７】
そこで、各々分割された部位の繋ぎ目にも所定の強度があり、左右に撓まず、ロックが突発的に解除されたとしても、ヘルメットの形態を保持できる折り畳みヘルメットが求められていた。
【課題を解決するための手段】
【０００８】
そこで、本発明の折り畳みヘルメットは、略半球形状の帽体を、帽体の下縁部分のベース本体と、ベース本体以外の帽体部分を分割した分割帽体で構成し、分割帽体は、帽体の前方部分から頂部分までの中央帽体と、帽体の後方部分の後方帽体と、帽体の側方部分の左右の側方帽体と、からなり、各々ベース本体に回動可能に連結され、これらを組み立て位置へ回動するものであって、分割帽体の組み立て状態を支持する支持部であって、後方帽体の中央帽体側縁の下方から中央帽体側に突出して中央帽体を支持する中央帽体支持部と、中央帽体と後方帽体の下方から左右の側方帽体側に突出して左右の側方帽体を支持する側方帽体支持部と、を有し、帽体を組み立て状態に維持する固定手段であって、一端が中央帽体の後方の裏面側に固定され、他端が前記後方帽体の中央帽体支持部に形成される通し孔により表面側から裏面側に通され、更にベース本体の後方の開放部分から引き出されたものであって、当該他端を更に引き出すことによって組み立て状態とする固定テープと、引き出した固定テープを引き出した状態に固定する固定レバーと、を有することを特徴とする。
【０００９】
また、少なくとも中央帽体の頂部分周辺を含む頂頭部分において、支持部により、各分割帽体間の繋ぎ目が下方から覆われることが好ましい。
【００１１】
また、側方帽体支持部は、中央帽体と後方帽体とから突出する支持部が接合してなるものであって、各々の接合部分の端部は、一方が上下方向に切り欠かれ、もう一方が当該切り欠きに係合する突部を有することが好ましい。
【００１２】
また、左右の側方帽体の突出片が側方帽体支持部に形成された溝部に係合することが好ましい。
【００１３】
また、固定レバーは、押圧部と作動部とからなり、回動可能に取り付けられたカム機構とし、作動部を回動したときに固定レバーの押圧部が固定テープを被押圧部に押圧することにより、固定テープを固定することが好ましい。
【００１４】
また、固定手段は、固定レバーの固定テープとの押圧状態を保持する係合部を有することが好ましい。
【発明の効果】
【００１５】
請求項１に記載の発明によると、本発明の折り畳みヘルメットは、ベース本体と分割帽体とから構成され、分割帽体は中央帽体、後方帽体と左右の側方帽体とから構成される。これら分割帽体がベース本体に回動可能に連結され、組み立て状態となるよう支持、固定されることにより、折り畳んでコンパクトに収納できるのみならず、帽体の前後、上下のみならず、左右からの力が加わったとしても、容易に撓まず、強固なヘルメットを提供することが可能になる。
【００１６】
また、請求項２ないし３に記載の発明によると、分割帽体の繋ぎ目が、下方から支持する支持部により下方から覆われており、針などの尖った鋭利なものが飛来し、帽体と衝突した場合であっても、貫通しないように所定の強度を有するヘルメットを提供することが可能になる。
【００１７】
また、請求項４に記載の発明によると、突出片が溝部に係合することにより、組み合わせ状態を保持することができる。
【００１８】
また、請求項６に記載の発明によると、固定手段により、固定テープを固定して、ヘルメットの組み立て状態を固定することができ、固定手段が固定レバーの作動と、係合部の２段ロック構造としていることで、不意のロック解除により、組み立てた状態の帽体が折り畳まれることを防止することが可能になる。
【図面の簡単な説明】
【００１９】
【図１】本発明の折り畳みヘルメットの組み立てた状態の一例を示す全体斜視図である。
【図２】本発明の折り畳みヘルメットの折り畳み状態の一例を示す全体斜視図である。
【図３】図１のＡ−Ａ線断面図である。
【図４】図２のＢ−Ｂ線断面図である。
【図５】本発明のベース本体の一例を示す斜視図である。
【図６】本発明の分割帽体の一つである中央帽体の一例であって、その表面を示す斜視図である。
【図７】本発明の分割帽体の一つである中央帽体の一例であって、その裏面を示す斜視図である。
【図８】本発明の分割帽体の一つである後方帽体の一例であって、その表面を示す斜視図である。
【図９】本発明の分割帽体の一つである後方帽体の一例であって、その裏面を示す斜視図である。
【図１０】本発明の分割帽体の一つである左側方帽体の一例であって、（ａ）はその表面を、（ｂ）はその裏面を示す斜視図である。
【図１１】本発明の分割帽体の一つである右側方帽体の一例であって、（ａ）はその表面を、（ｂ）はその裏面を示す斜視図である。
【図１２】本発明の固定手段の一例を示すものであって、（ａ）はその分解斜視図、（ｂ）は図３における固定出段を拡大した一部拡大断面図である。
【図１３】本発明の固定テープを係合爪に係合する状態を示す帽体内側の部分斜視図である。
【発明を実施するための形態】
【００２０】
本発明の折り畳みヘルメット１を図面に沿って説明する。図１、２に示すように、折り畳みヘルメット１は、主に、ベース本体１１と、各分割帽体である中央帽体２１、後方帽体３１、左側方帽体４１、右側方帽体５１と、固定テープ２を用いた固定手段６１とからなる。
【００２１】
本説明において、帽体全体のうちツバ部１２のある方向（図１における左手前側）を前方とし、固定テープ２が露出している方向（図１における右奥側）を後方とする。また、帽体の表面側を外側とし、帽体の裏面側（使用者が被る側）を内側とする。
【００２２】
本説明において、完全な帽体となる状態を組み立て状態と称し、図１、３に示す状態をいう。この組み立て状態から折り畳んだ状態を折り畳み状態と称し、図２、４に示すように分割帽体をベース本体１１に収納することができる。
【００２３】
折り畳みヘルメット１の組み立て状態及び折り畳んだ状態について説明する。本発明の折り畳みヘルメット１は、ベース本体１１に、各分割帽体である中央帽体２１、後方帽体３１、左側方帽体４１、右側方帽体５１が上下方向に回動可能に連結されており、これらの各分割帽体を組み合わせ状態となるまで上方に回動すると、図１、３に示す完全な帽体となる組み合わせ状態となる。この組み合わせは、後方帽体３１から露出する取っ手７１及び固定テープ２を引っ張ることで、各分割帽体が回動して起き上がり、完全な帽体となり、この組み合わせ状態で固定テープ２が固定手段６１により固定される。組み合わせ状態を解除して折り畳み状態とするときは、固定テープ２を固定する固定手段６１を解除することで、組み合わせ状態から図２、４に示す折り畳み状態とし、コンパクトに収納が可能になる。
【００２４】
次に各構成部材について説明する。
まず、各分割帽体を連結するベース本体１１は、図５に示すように、組み合わせた状態で完全な帽体となる折り畳みヘルメット１の下方部分の帽体の立ち上がり部分に相当する。具体的には、前方のツバ部１２から、帽体の後方にかけて鉢巻状若しくは環状に形成される。ベース本体１１の内側であって、前方に中央帽体２１と回動可能に連結するための回動軸１３、１３、後方に後方帽体３１と回動可能に連結するための回動軸１４、１４が各々２か所に形成される。
【００２５】
図３、図５に示すように、ベース本体１１の内側の両側方には、左右の側方帽体４１、５１を回動可能に連結するための連結部材４、４を取り付けるネジ孔１５、１５が形成される。このネジ孔１５、１５にネジを螺入して連結部材４、４をベース本体１１に取り付ける。連結部材４、４の取り付け孔１６、１６にバンドガイド５、５の突起を嵌め込んでバンドガイド５、５を連結部材４、４に取り付ける。なお、このバンドガイド５、５により、使用者の頭部、愕部に巻きつけるためのバンド（図示しない）を折り畳みヘルメット１に装着することができる。
【００２６】
また、形成されたベース本体１１の周面であって、前方、側方、後方の各々の立ち上がり面は、中央帽体２１、左右の側方帽体４１、５１、後方帽体３１を組み合わせた状態を係止する係止面１７ａ、係止面１７ｂ、１７ｂ、係止面１７ｃとして機能する。これら係止面１７ａ〜１７ｃにより、各分割帽体を上方に立ち上げた場合に過度に回動することを防止することができる。
【００２７】
ベース本体１１の後方は、組み合わせ時に後方帽体３１の開口部３７を一部覆い、この開口部３７から通される固定テープ２を通す通し孔１８が形成される。
【００２８】
次に、分割帽体の１つである中央帽体２１について説明する。
図６に示すように、中央帽体２１は、前方から後方に掛けて、斜め上方に立ち上がる前方部分２１ａと略水平方向で緩やかに湾曲する頂部分２１ｂとが一体に形成されたものである。前方部分２１ａは、折り畳みヘルメット１の組み合わせ状態で、使用者の前頭部分を覆う部分であり、頂部分２１ｂは使用者の頂頭部分を覆う部分である。
【００２９】
中央帽体２１の前方部分２１ａと後方部分２１ｂとの中間付近には開口された複数の通気孔からなる通気部２９が形成される。図１に示すように、この通気部２９には、表面側からカバー６を配置し、雨水等による帽体内部への直接の流入を遮蔽する。
【００３０】
中央帽体２１の前方部分２１ａのうち、その前側端縁から、さらに前方に突出させ、軸受２２ａ、２２ａ及び軸孔２２ｂ、２２ｂからなる回動連結部２２、２２が形成される。  この回動連結部２２、２２の軸受２２ａ、２２ａがベース本体１１の回動軸１３、１３を受け、中央帽体２１がベース本体１１に対して回動可能に連結される。ベース本体１１の回動軸１３、１３の方向が水平方向であるため、この回動軸１３、１３と回動連結部２２、２２で連結する中央帽体２１はベース本体１１に対して、上下方向に回動することが可能になる。
【００３１】
中央帽体２１の両側方には、左右の側方帽体４１、５１を下方から支持する支持部となる側方帽体支持部２３、２３が形成される。具体的には、中央帽体２１の左右の両側方縁から、中央帽体２１の湾曲する縁に沿って下方へ延長した側面２４、２４と、この側面２４、２４の下端から外方へ水平に突出するように延長した支持面２３ａ、２３ａと、その支持面２３ａ、２３ａの外側端縁から更に外方へ湾曲するように延長した延長部２３ｂ、２３ｂとからなる。
【００３２】
側方帽体支持部２３、２３は、中央帽体２１の両側方縁の全体に形成されるのではなく、頂部分２１ｂの後方端２７付近を後端部２３ｄ、２３ｄとし、その前端部２３ｅ、２３ｅは前頭部分２１ａのうち約半分程度の部分にまで形成されている。この側方帽体支持部２３、２３の前頭部分２１ａの端部は、ベース本体１１に覆われる部分付近にまで伸びている。
【００３３】
この側方帽体支持部２３、２３は、左右の側方帽体４１、５１を下方から支持する部分となるとともに、頂頭部分における中央帽体２１と左右の側方帽体４１、５１との繋ぎ目を覆う機能を有する。ここで、頂頭部分とは、中央帽体２１の頂部分２１ｂを中心として、後方帽体３１の前方部分、左右の側方帽体４１、５１の上方部分を含む部分を指す。
この側方帽体支持部２３、２３は、中央帽体２１と同じ強度を有し、これは他の支持部においても同じである。これにより、各分割帽体間の繋ぎ目においても、中央帽体等と同じ強度を有することとなる。
【００３４】
支持面２３ａ、２３ａによる支持以外にも、側面２４、２４は、左右の側方帽体４１、５１の接合面４４、５４と同じ幅を有しており、支持面２３ａ、２３ａが接合面４４、５４の下方である被支持部４３、５３を支持しつつ、側面２４、２４と接合面４４、５４とが一致して接合するようにしている。また、延長部２３ｂ、２３ｂの湾曲が、左右の側方帽体４１、５１の接合面４４、５４付近の内側面４７、５７と接合する。これにより、主頭部分の中央帽体２１と左右の側方帽体４１、５１との繋ぎ目を覆い、所定の強度を有することが可能になる。
【００３５】
図３に示すように、側方帽体支持部２３、２３は、後方帽体３１の側方帽体３３、３３と接合して一連の支持部となる。中央帽体２１の側方帽体支持部２３、２３の後端部２３ｄ、２３ｄは、下方にかけて傾斜するように一部切り欠いた状態で形成される。後述する後方帽体３１の側方帽体支持部３３、３３の前端部３３ｄ、３３ｄは、下方にかけて傾斜するように突出しており、この切り欠いた中央帽体２１の側方帽体支持部２３、２３の後端部２３ｄ、２３ｄと係合する。これらが係合することにより、一連の側方帽体支持部２３、２３、３３、３３はその接合部分でも、上方から隙間が生じないようにしている。
これにより、組み合わせた状態で、針状物が落下し、各帽体間の隙間に入り込んだとしても、所定の強度がある支持部により、帽体を貫通することを防止している。
【００３６】
側方帽体支持部２３、２３の一部であって、その後方側に溝部２３ｃ、２３ｃが形成される。この溝部２３ｃ、２３ｃは、側方帽体支持部２３、２３の指示面２３ａ、２３ａを溝状に凹ませたものであり、側方帽体４１、５１の突出片４５、５５と係合する。これにより、中央帽体２１及び後方帽体３１に側方帽体４１、５１を組み合わせたときに、側方帽体４１、５１が組み合わせ状態から外れることを防止し、組み合わせ状態を保持することができる。
【００３７】
中央帽体２１の頂部２１ｂの後方側には、固定テープ支持部２５が形成される。図７に示すように、中央帽体２１を内面側から見た場合、固定テープ支持部２５は、中央帽体２１の前方から後方にかけて、第一支持孔２５ａ、第二支持孔２５ｂ、第三支持孔２５ｃが連続して開口される。第二支持孔２５ｂはその周囲を内面側へ一部突出させた略枠状の形体であって、後述の留め具６３を保持するための留め具保持部２５ｄが形成される。また、第三支持孔２５ｃと、第二支持孔２５ｂの周囲の留め具保持部２５ｄとの間に、一段、内面側へ傾斜し、後方帽体３１の第一の中央帽体支持部３５ａに支持される第一の被支持部２６ａが形成される。
【００３８】
中央帽体２１の後方側縁２７は、前方が凸状となる後方帽体３１と組み合うことから、略コの字状に形成される。後方側縁２７のすぐ前側の面は後方帽体３１に支持される第二の被支持部２６ｂ、２６ｂ及び第三の被支持部２６ｃ、２６ｃとなる。これら第二の被支持部２６ｂ、２６ｂ第三の被支持部２６ｃ、２６ｃは、後方帽体の第二の及び第三の中央帽体支持部３５ｂ、３５ｂ、３６３６に支持される部分となる。
【００３９】
次に後方帽体３１について説明する。
後方帽体３１は、帽体の後頭部に位置するものである。図８、９に示すように、後方帽体３１の後方縁部から、さらに後方へ突出させて、軸受３２ａ、３２ａと軸孔３２ｂ、３２ｂとからなる回動連結部３２、３２が配置される。この回動連結部３２、３２の軸受３２ａ、３２ａがベース本体１１の回動軸１４、１４を受けることで、後方帽体３１がベース本体１１に回動可能に連結される。後方帽体３１が上下方向に回動することについては、中央帽体２１と同じである。
【００４０】
前述の通り、後方帽体３１は前方にかけて凸状の形状となり、具体的には凸状となる出っ張り部分３９ａと、この出っ張り部分３９ａの側方の非出っ張り部分３９ｂ、３９ｂとからなる。この出っ張り部分３９ａの中央部分であって、前方縁の下方から突出して開口する固定テープを通すための通し孔３５ｃが形成され、通し孔３５ｃの前方には第一の中央帽体支持部３５ａが形成される。
【００４１】
この第一の中央帽体支持部３５ａの両側には、出っ張り部３９ａの前方縁の下方からさらに前方に突出するように中央帽体２１を支持する第二の中央帽体支持部３５ｂ、３５ｂが形成される。
【００４２】
後方帽体３１の非出っ張り部３９ｂ、３９ｂにおいて、この前方縁の下方からさらに前方に突出するように中央帽体２１を支持する第三の中央帽体支持部３６、３６が形成される。
【００４３】
上記第一、第二、第三の中央帽体支持部３５ａ、３５ｂ、３５ｂ、３６、３６は、各々中央帽体の第一、第二、第三の被支持部２６ａ、２６ｂ、２６ｂ、２６ｃ、２６ｃを下方から支持し、かつ、頂頭部分において中央帽体２１と後方帽体３１との繋ぎ目を下方から覆うことができる。これにより、組み合わせた状態で、針状物が落下して各帽体間の隙間に入り込んだとしても、所定の強度がある支持部により、帽体を貫通することを防止する。
【００４４】
後方帽体３１の両側方縁に、左右の側方帽体４１、５１を下方から支持する側方帽体支持部３３、３３が形成される。この側方帽体支持部３３、３３は、前述の通り、中央帽体２１の側方帽体支持部２３、２３と接合して一連の支持部を形成するものである。その形態も、中央帽体２１と同じく、後方帽体３１の両側方縁に沿って下方に延長した側面３４、３４と、その側面３４、３４の下端から水平方向に延長した支持面３３ａ、３３ａと、この支持面３３ａ、３３ａの下端から外側に湾曲させた延長部３３ｂ、３３ｂとからなる。
【００４５】
また、後方帽体３１の側方帽体支持部３３、３３の後端部３３ｃ、３３ｃは後方帽体３１の中央付近にまで位置し、その前端部３３ｄ、３３ｄは、非出っ張り部３９ｂ、３９ｂの前端部に位置し、下方にかけて傾斜するように突出しており、中央帽体２１の側方帽体支持部２３、２３の下方にかけて切り欠いた後端部２３ｄ、２３ｄと係合するように形成されている。
【００４６】
後方帽体３１の後方側には固定部６１を配置するための開口部分３７が形成される。固定部６１については後述する。
【００４７】
次に、左右の側方帽体４１、５１について説明する。
これらは、帽体の左右の側方に位置するものである。図１０に左側の側方帽体４１を示すが、右側の側方帽体５１は左右対称に現れる。
【００４８】
略卵型の左側の側方帽体４１の下縁４６からさらに下方の位置で、側方帽体４１の外側に位置するように、軸状の回動軸４２が形成される。この回動軸４２に連結部材４を介してベース部材１１に取り付けることで、側方帽体４１を上下に回動自在にベース部材１１に連結する。
【００４９】
また、側方帽体４１の下縁４６以外の外周縁は、半円弧状に形成され、その外周縁に沿って、所定の幅を内面側に突出させた接合面４４と、その接合面４４を有する突出部分の下側面が被支持面４３となる。この接合面４４が、中央帽体２１及び後方帽体３１の側面２４、３４に接合して、組み合わせ時に一体の湾曲したヘルメット形状となる。また、被支持面４３は、中央帽体２１及び後方帽体３１の側方帽体支持部２３、３３に支持される部分となる。その他、側方帽体４１の外周縁であって、被支持面４３付近の内側面４７は、中央帽体２１及び後方帽体３１の側方帽体支持部２３、３３の延長部２３ｂ、３３ｂと接合する。
【００５０】
この半円弧状の湾曲する被支持面４３の一部であって、その最も上方位置から、下方に突出する突出片４５が形成される。この突出片４５は、中央帽体２１の溝部２３ｃに係合し、折り畳みヘルメット１の組み合わせ状態を保持することができる。
【００５１】
図１１に示すように、右側の側方帽体５１は、左側の側方帽体４１と対称に現れるものであって、下方に回動軸５２が形成され、下縁５６以外の外周縁に被支持面５３、接合面５４、突出片５５が形成され、接合面５４が中央帽体２１及び後方帽体３１の側面２４、３４に接合し、被支持面５３は、中央帽体２１及び後方帽体３１の側方帽体支持部２３、３３に支持され、被支持面５３付近の部分５７が延長部２３ｂ、３３ｂと接合することも同じである。
【００５２】
次に、固定テープ２について説明する。図３に示すように、固定テープ２は、樹脂繊維からなる帯状物であり、所定長さを有する。固定テープ２は、その始端２ａを帽体の頂部付近で保持し、帽体内部を通し、帽体の後方から外面側に出す。固定テープ２の終端２ｂには、環状の取っ手７１が取り付けられる。
【００５３】
具体的には、留め具３に巻き付けられた固定テープ２の始端２ａは、留め具３が中央帽体２１の留め具保持部２５ｄに嵌め合わせて保持される。固定テープ２は第二支持孔２５ｂからいったん中央帽体２１の表面側に出て、後方の第三支持孔２５ｃから中央帽体２１の裏面側に導入する。その後に後方帽体３１の第一支持部３４の通し孔３５から後方帽体３１の内面側へ通す。さらに後方帽体３１の開口部分３７、ベース本体１１の通し孔１８を通して、帽体から外側に出している。なお、後述の通り、この固定テープ２の終端２ｂをさらに帽体内部に戻し、留め具保持部付近の取っ手７１を係合爪７２、７２に係合させることで、取っ手７１をヘルメット使用時に保持することが可能になる。
【００５４】
なお、中央帽体２１のテープ支持部２５は、表面側から頂部カバー材７を取り付けることで、帽体の頂部から固定テープ２を視認できず、帽体の頂部に所定の強度を保持できるようにする。
【００５５】
次に、固定手段６１について説明する。
図１２（ａ）、（ｂ）に示すように、固定テープ２は帽体の後方帽体３１の開口部分３７に配置される固定手段６１により、固定される。固定手段６１はベース６２、固定レバー６３、固定ボタン６４とからなる。
【００５６】
ベース６２は、後方帽体３１の開口部分３７に嵌め込むための枠体である。図面上の奥側の面は、その一部が壁面となるガイド６２ａがあり、このガイド６２ａの図面上の上側が開口された通し孔６２ｂが形成されている。ベース６２の下方は、軸孔６２ｃ、６２ｃが開口され、ベースの上方は、段状の係合部６２ｄが形成される。
【００５７】
ベース６２に配置される固定レバー６３は、上方の被挿入部６３ａ、中央の軸孔部６３ｂ、下方のギア部６３ｃとから構成する。ベース６２の軸孔６２ｃ、６２ｃ及び、固定レバー６３の軸孔部６３ｂの軸孔に軸６５を通して、固定レバー６３がベース６２に対して回動可能に固定する。被挿入部６３ａは内部にスプリングを支持する空間を有し、この部分にスプリング（図示しない）を介して固定ボタン６４を挿入する。固定ボタン６４は、その上方部分がベース６２の段状の係合部６２ｄと係合する。この固定ボタン６４が挿入された固定レバー６３の被挿入部６３ａが作動部となる。
【００５８】
固定レバー６３のギア部６３ｃは、下向きに複数突出し、取り付け時に外面側に向いたギア歯を有し、このギア部６３ｃが押圧部となる。軸孔からギア歯先端までの長さは、取り付け時に最も外面側の歯が最も長く、最も内面側の歯は短くなっている。これにより、最も外面側若しくはそれに近いギア歯により固定テープ２と係合させた場合には、固定テープ２を固定する力が大きくなり、最も内面側若しくはそれに近いギア歯により固定テープ２と係合させた場合、外面側に比べて固定テープ２を固定する力は小さくなる。
【００５９】
固定ボタン６４を固定レバー６３の被挿入部６３ｂに挿入し、固定レバー６３とベース６２とを軸により回動可能に固定した状態で、後方帽体３１の開放部分３７に嵌め込んで固定する。固定テープ２は、ギア部６３ｃとベース６２の下面６２ｅとの間を通し、ベース本体１１の通し孔１８を通して、折り畳みヘルメット１の外部に導出する。
【００６０】
次に、折り畳みヘルメット１の各分割体を回動して組み合わせる状態を説明する。収納時では、ベース本体１１に回動自在に連結された中央帽体２１、後方帽体３１、左右の側方帽体４１、５１が、環状のベース本体１１の内方に沈み込むように収納されている。
【００６１】
収納時から組み合わせて完全なヘルメット状の帽体とする場合、使用者は後方帽体３１から帽体外部に出ている固定テープ２の終端２ｂの取っ手７１を引っ張ることで行う。固定テープ２を外部から引っ張ることで、中央帽体１１と後方帽体３１が立ち上がる。
【００６２】
中央帽体２１が回動連結部２２でベース本体１１の回動軸１３と連結され、固定テープ２の始端２ａが中央帽体２１に取り付けられており、固定テープ２がガイド６２ａにより上方へガイドされているため、この固定テープ２を引っ張って緊張させると、中央帽体２１が上方に引っ張られるように、回動して立ち上がる。
【００６３】
また、後方帽体３１が回動連結部３２でベース本体１１の回動軸１４と連結され、この固定テープ２は後方帽体３１の通し孔３５に通されており、固定テープ２の緊張により、固定テープ２が後方帽体３１の通し孔３５の下端を持ち上げるように、後方帽体３１が回動して立ち上がる。
【００６４】
中央帽体２１と後方帽体３１とが、固定テープ２の緊張により回動して立ち上がり、完全なヘルメット形状となる組み合わせ状態となるまで立ち上がったとき、中央帽体の第一、第二、第三の被支持部２６ａ、２６ｂ、２６ｃが、後方帽体３１の第一、第二、第三の中央帽体支持部３５ａ、３５ｂ、３６に下方から支持される。
【００６５】
収納時では、左右の側方帽体４１、５１は中央帽体２１及び後方帽体３１の上側に重なるように折り畳まれているが、固定テープ２の緊張により、中央帽体２１と後方帽体３１とが回動して立ち上がると、これらの上に重なり合う左右の側方帽体４１、５１も同じく、回動して立ち上がる。
【００６６】
中央帽体２１と後方帽体３１とが組み合わせ状態となる位置まで立ち上がると、側方帽体４１、５１の接合面４４、５４が、中央帽体２１と後方帽体３１の側面２４、２４、３４、３４に接合し、ヘルメット形状となる。このとき、側方帽体４１、５１の被支持面４３、５３は、中央帽体２１と後方帽体３１の側方帽体支持部２３、２３、３３、３３に支持される。また、側方帽体４１、５１の突出片４５、５５が中央帽体２１の側方帽体支持部２３、２３に形成された溝部２３ｃ、２３ｃに嵌まり込んで係合し、組み合わせ状態を保持する。
【００６７】
図１３に示すように、この状態で、使用者が引っ張った固定テープ２の取っ手７１は、さらに帽体の内部に回し込み、中央帽体２１の第二支持孔２５ｂの周辺に取り付けられた係合爪７２、７２に嵌め込んで固定する。これにより、引き出した固定テープ２を収納することができる。
【００６８】
次に固定手段６１による、固定テープ２の固定およびその解除について説明する。本実施形態における固定手段６１は、ベース６２の下面６２ｅと固定レバー６３のギア部６３ｃのギア歯との間に固定テープ２が配置される。
【００６９】
固定手段６１による固定状態では、ベース６２の段状の係合部６２ｄに固定ボタン６４が係合する。この係合によりベース６２の下面６２ｅの固定テープ２は、ギア部６３ｃのうち最も外側若しくはその周辺のギア歯により上方から押しつけられることで固定される。軸孔からギア歯の先端までの長さが最も長いのが外側のギア歯であることから、固定テープ２が上方から押しつけられる力が強く、固定テープ２が固定される。
【００７０】
解除する場合、固定ボタン６４を押しながら、ベースの係合部６２ｄとの係合を開放させて、固定レバー６３を押し込む。この状態となると、固定レバー６３が軸により回動し、ベース６２の下面６２ｅ上の固定テープ２には、ギア部６３ｃのうち最も内側若しくはその周辺のギア歯によることとなる。軸孔からのギア歯先端までの距離が短くなっているため、固定テープ２が上方から押しつけられる力が弱く、固定テープ２の緊張が解除されるために、固定テープ２が帽体の内方に導入されていく。
【００７１】
本実施形態の固定手段６１によると、使用者が固定状態を解除する場合、固定ボタンを押すことと、固定レバー６３を押し続けることの２つの動作が必要となる。このため、不意に物が当たったりしたときに、固定状態が解除されることなく、帽体の組み合わせ状態を保持することが可能になる。
【００７２】
また、軸孔からギア歯までの長さが異なるカム機構を用いることで、固定レバー６３を押し続けなければならない。これは、仮に不意な動作により、固定状態が解除されたとしても、固定レバー６３の押し付けが継続されなければ、固定状態が完全に解除されない。  ギア歯の歯が外側を向いていることにより、固定テープ２が外側から内側に導入される場合に、ギア歯に係合し易くしている。固定テープ２がギア歯に係合すると、固定レバー６３が解除状態から固定状態に戻るように、回動する力が作用し、固定レバーの固定解除状態から固定状態になる。
【符号の説明】
【００７３】
１…折り畳みヘルメット、２…固定テープ、１１…ベース本体、２１…中央帽体、２１ｂ…頂部分、２３…側方帽体支持部、２３ｃ…溝部、２３ｄ…側方帽体端部、２４…側面、３１…後方帽体、３３…側方帽体支持部、３３ｄ…側方帽体端部、３４…側面、３５ａ…第一の中央帽体支持部、３５ｂ…第二の中央帽体支持部、３６…第三の中央帽体支持部、４１…左側方帽体、４５…突出片、５１…右側方帽体、５５…突出片、６１…固定手段、６２ｄ…係合部、６３…固定レバー、６３ａ…被挿入部（作動部）、６３ｃ…ギア部（押圧部）
【図１】
0006539492.tif 000002
【図２】
0006539492.tif 000003
【図３】
0006539492.tif 000004
【図４】
0006539492.tif 000005
【図５】
0006539492.tif 000006
【図６】
0006539492.tif 000007
【図７】
0006539492.tif 000008
【図８】
0006539492.tif 000009
【図９】
0006539492.tif 000010
【図１０】
0006539492.tif 000011
【図１１】
0006539492.tif 000012
【図１２】
0006539492.tif 000013
【図１３】
0006539492.tif 000014